(57)【特許請求の範囲】
【請求項１】
バーナと、熱交換器と、この熱交換器で生成された温水を外部放熱器に循環供給するキャンドポンプと、これらを収容した箱体状の外装体とを備え、この外装体の周側板の一面を開放面部と成し、この開放面部を着脱可能なパネルで覆う構成とした温水ボイラであって、
前記キャンドポンプは、インペラーを内蔵したポンプケーシングとモータを内蔵したモータハウジンクとが連結一体化されて成り、前記ポンプケーシングは端面中央に吸入口部を有するとともに周面には吐出口部を有し、前記モータケーシングは端面中央にモータロック解除部を有しており、前記モータロック解除部が前記外装体の開放面部に対向し、かつ、前記ポンプケーシング周面の吐出口部が前記開放面部と直交する周側板の一面に対向するように、前記キャンドポンプをポンプ取付台を介して前記外装体の底板上に載置固定し、
前記ポンプ取付台は、外装体の底板上に載置される底面板部と、この底面板部一端から上方へ向けて折曲形成され、前記モータハウジングの先端部近くを下から支える立壁部と、底面板部の側縁から上方へ向けて折曲形成した立面板部と、この立面板部の一端から内方へ向けて折曲形成され、前記ポンプケーシング側を固定保持する取付板部とを有して構成され、かつ、それら底面板部、立壁部、立面板部及び取付板部が一体成形されてなることを特徴とする温水ボイラ。
【請求項２】
前記外装体の底板には前記開放面部と略平行な固定用立片を有する固定板を装着し、この固定板の固定用立片に前記ポンプ取付台の立壁部を重合し、その重合した固定板の固定用立片とポンプ取付台の立壁部とを、前記外装体の開放面部側から締付ネジを介して締着する構成としたことを特徴とする請求項１に記載の温水ボイラ。
【発明の詳細な説明】
【０００１】
【発明の属する技術分野】
本発明は、熱交換器で生成された温水を、キャンドポンプを用いて外部放熱器に循環供給するようにした温水暖房熱源機等の温水ボイラに関する。
【０００２】
【従来の技術】
従来一般の温水ボイラは、例えば、特開平６ー２４９５１９号公報に開示されているように、縦長箱体状の外装体内に、バーナと、熱交換器と、この熱交換器で生成された温水を外部放熱器に循環供給する循環ポンプを収容している。
【０００３】
【発明が解決しようとする課題】
ところで、上記した従来構成の温水ボイラは、循環ポンプにマグネットポンプを使用していたが、このマグネットポンプは運転中の騒音が比較的大きいという欠点があった。そこで、近年では、運転中の騒音が小さいキャンドポンプの使用が望まれている。しかしながら、このキャンドポンプは、ポンプケーシング内に突出させたモータの回転軸にインペラーを直結して回転させる方式であるため、モータ軸や軸受が循環水と接触しており、温水ボイラを使用しない夏季等の暖房オフシーズンに、水垢がモータ軸に付着したり、錆が発生したりする等して、モータがロックされることがしばしばある。そのため、このキャンドポンプには、モータハウジンクの端面にモータロック解除部が設けられているが、通常、循環ポンプは温水ボイラの外装体内における限られた狭いスペースを利用して設置される関係上、モータロック解除部のロック解除操作を容易に行うことができない課題が残されていた。
【０００４】
本発明は上述の実情に鑑みてなされたものであり、循環ポンプとしてキャンドポンプを用いることにより、ポンプの運転騒音を軽減させつつ、モータロック解除部の操作が容易に行える温水ボイラを提供することを目的としている。
【０００５】
【課題を解決するための手段】
請求項１に記載の本発明は、バーナと、熱交換器と、この熱交換器で生成された温水を外部放熱器に循環供給するキャンドポンプと、これらを収容した箱体状の外装体とを備え、この外装体の周側板の一面を開放面部と成し、この開放面部を着脱可能なパネルで覆う構成とした温水ボイラであって、前記キャンドポンプは、インペラーを内蔵したポンプケーシングとモータを内蔵したモータハウジンクとが連結一体化されて成り、前記ポンプケーシングは端面中央に吸入口部を有するとともに周面には吐出口部を有し、前記モータケーシングは端面中央にモータロック解除部を有しており、前記モータロック解除部が前記外装体の開放面部に対向し、かつ、前記ポンプケーシング周面の吐出口部が前記開放面部と直交する周側板の一面に対向するように、前記キャンドポンプをポンプ取付台を介して前記外装体の底板上に載置固定し、前記ポンプ取付台は、外装体の底板上に載置される底面板部と、この底面板部一端から上方へ向けて折曲形成され、前記モータハウジングの先端部近くを下から支える立壁部と、底面板部の側縁から上方へ向けて折曲形成した立面板部と、この立面板部の一端から内方へ向けて折曲形成され、前記ポンプケーシング側を固定保持する取付板部とを有して構成され、かつ、それら底面板部、立壁部、立面板部及び取付板部が一体成形されてなることを特徴とする。
【０００６】
請求項２に記載の本発明は、請求項１に記載の温水ボイラにおいて、前記外装体の底板には前記開放面部と略平行な固定用立片を有する固定板を装着し、この固定板の固定用立片に前記ポンプ取付台の立壁部を重合し、その重合した固定板の固定用立片とポンプ取付台の立壁部とを、前記外装体の開放面部側から締付ネジを介して締着する構成としたことを特徴とする。
【０００７】
【０００８】
【発明の実施の形態】
以下、本発明の一実施形態例を図１ないし図６の図面に基づいて説明する。図において、１は縦長箱体状に形成された温水ボイラの外装体であり、この外装体１は底板２、周側板３、天板４にて構成されるとともに、前記周側板３の一面は開放面部５と成され、この開放面部５は上部に操作部６が設けられた着脱可能な前パネル３Ａで覆われており、この前パネル３Ａを取り外すことにより、図２に示すように、前記外装体１の周側の一面は大きく開放されるものである。
【０００９】
前記外装体１内の一側部には、熱交換器としての缶体７と、この缶体７の上部に連結された排気管８付きのマフラ（図示せず）と、缶体７を載置固定した支持台９と、缶体７で熱交換された循環水（温水）を循環パイプ１０、１１を介して床暖房パネル等の外部放熱器（図示せず）に循環させるキャンドポンプ１２等が収容され、また、外装体１内の他側部（開放面部５側）には、前記缶体７を加熱するガンタイプ石油バーナ等のバーナ１３と、このバーナ１３に燃焼空気を供給する送風機１４と、補給用の循環水を貯溜するリザーブタンク１５等が収容されている。前記リザーブタンク１５は開放面部５近くの外装体１の底板２上に着脱可能に載置固定され、細管（図示せず）を介して前記循環パイプ１０の頂部に連通されている。
【００１０】
前記支持台９は外装体１の開放面部５に対応する開放面９Ａを有するとともに、その内部には空間Ｘが形成され、そして、前記外装体１内の一側部の底板２上に両側下端部が固定されており、この支持台９の内部空間Ｘに位置する底板２上には、前記キャンドポンプ１２がポンプ取付台１６及び固定板１７を介して固定保持されている。
【００１１】
前記キャンドポンプ１２は、インペラー（図示せず）を内蔵したポンプケーシング１２Ａと、インペラーを駆動するモータ（図示せず）を内蔵したモータハウジング１２Ｂとを連結一体化して成り、前記ポンプケーシング１２Ａはそれの端面中央に吸入口部１８が突設されるとともに、周面に吐出口部１９が突設され、一方、前記モータハウジング１２Ｂの端面中央には、図２及び図３に示すように、モータハウジング１２Ｂに内蔵されたモータのロック状態を解除するためのモータロック解除部２０が設けられ、さらに、前記ポンプケーシング１２Ａの端面には複数の取付用ボス部２１が突設されている。
【００１２】
前記ポンプ取付台１６は、外装体１の底板２上に載置される方形状の底面板部１６Ａと、この底面板部１６の一端から上方へ向けて折曲形成した立壁部１６Ｂと、この立壁部１６Ｂと直交する奥側の側縁から上方へ向けて折曲形成した方形状の立面板部１６Ｃと、この立面板部１６Ｃの左端から内方へ向けて折曲形成した縦長方形状の取付板部１６Ｄとを、一枚の金属板にて一体成形してなり、そして、前記取付板部１６Ｄを複数の第１ボルト２２、２２を介してキャンドポンプ１２の取付用ボス部２１に締着することにより、このポンプ取付台１６はキャンドポンプ１２に取り付けられる。
【００１３】
また、前記立壁部１６Ｂは、前記モータハウジング１２Ｂの先端部近くの途中適所を下から支えるとともに、後述する固定板１７の固定用立片１７Ｂに重合され、かつ、それの下部には複数のネジ孔２３、２３が設けられている。
【００１４】
前記固定板１７は、複数の第２ボルト２４、２４を介して外装体１の底板２に締着される取付片１７Ａと、この取付片１７Ａの短手方向の一端から上方へ向けて折曲形成した固定用立片１７Ｂとを、一枚の金属板にて一体成形してなり、そして、この固定板１７は、それの取付片１７Ａが外装体１の開放面部５側に位置し、かつ、固定用立片１７Ｂが外装体１の開放面部５に取り付けられた前パネル３Ａと略平行となるように、外装体１の底板２上に装着され、また、前記固定用立片１７Ｂには、前記ネジ孔２３、２３に対応する複数のネジ挿通穴２５、２５が設けられている。
【００１５】
そして、前記キャンドポンプ１２は、ポンプ取付台１６の底面板部１６Ａを外装体１の底板２上に載置するとともに、前記立壁部１６Ｂを固定板１７の固定用立片１７Ｂに重合し、その状態で、固定用立片１７Ｂ及びポンプ取付台１６を複数の締付ネジ２６、２６を介して外装体１の開放面部５側から締着固定することにより、図２に示すように、前記モータロック解除部２０が外装体１の開放面部５に対向し、かつ、前記吐出口部１９が水平方向に向いて開放面部５と直交する周側板３の一面に対向している。
【００１６】
２７は一端が前記キャンドポンプ１２の吸入口部１８に接続され、かつ、他端が循環パイプ１０に接続されたゴム製の吸入口側接続管、２８は一端が前記キャンドポンプ１２の吐出口部１９に接続され、かつ、他端が循環パイプ１１に接続されたゴム製の吐出口側接続管である。
【００１７】
上述の構成において、運転が開始されると、バーナ１３が燃焼して缶体７が加熱され、キャンドポンプ１２の駆動によって、約５０〜７０℃に温められた缶体７内の循環水が、循環パイプ１０及び吸入口側接続管２７を通ってキャンドポンプ１２に吸引され、このキャンドポンプ１２から吐出口側接続管２８及び循環パイプ１１を通って外部放熱器に循環供給される。
【００１８】
本実施形態例によれば、循環ポンプとしてキャンドポンプ１２を用いているので、ポンプの運転騒音を軽減でき、しかも、キャンドポンプ１２は、モータハウジンク１２Ｂの端面に設けられたモータロック解除部２０を、着脱可能な前パネル３Ａで覆われた外装体１の開放面部５に対向させて底板２上に設置した構成であるから、モータロック解除部２０の操作が、前パネル３Ａ及びリザーブタンク１５を取り外すことで開放面部５側から容易に行える。
【００１９】
また、前記キャンドポンプ１２は、それのポンプケーシング１２Ａに設けられた吐出口部１９を、外装体１の開放面部５と直交する周側板３の一面に対向させた構成であるから、吐出口部１９が上向きとならないため、キャンドポンプ１２の高さを低く抑えることができ、例えば、一実施形態例のように、缶体７を載置固定する支持台９の内部空間Ｘを利用してキャンドポンプ１２を外装体１の底板２上に設置する場合でも、図２に示すように、吸入口部１８に接続される吸入口側接続管２７や、吐出口部１９に接続される吐出口側接続管２８が、前記支持台９の上部面によって邪魔されることなく接続できる。そのため、外装体１内における狭いスペースでも、キャンドポンプ１２における吸入口部１８及び吐出口部１９への配管接続が、何ら支障のないように行える。
【００２０】
また、外装体１の底板２には開放面部５と略平行な固定用立片１７Ｂを有する固定板１７を装着する一方、キャンドポンプ１２に取り付けられたポンプ取付台１６の一端部には固定板１７の固定用立片１７Ｂに重合する立壁部１６Ｂを形成し、このポンプ取付台１６の立壁部１６Ｂを固定板１７の固定用立片１７Ｂに重合させた状態で、固定板１７の固定用立片１７Ｂ及びポンプ取付台１６の立壁部１６Ｂを締付ネジ２６、２６を介して外装体１の開放面部５側から締着固定した構成であるから、キャンドポンプ１２の組み込み、取り外し作業は、前パネル３Ａ及びリザーブタンク１５を取り外すことで開放面部５側から容易に行えるものであり、キャンドポンプ１２の着脱作業を簡便となせ、組立性及びサービス性が向上する。
【００２１】
【発明の効果】
請求項１に記載の温水ボイラにおいては、バーナと、熱交換器と、この熱交換器で生成された温水を外部放熱器に循環供給するキャンドポンプと、これらを収容した箱体状の外装体とを備え、この外装体の周側板の一面を開放面部と成し、この開放面部を着脱可能なパネルで覆う構成とした温水ボイラであって、前記キャンドポンプは、インペラーを内蔵したポンプケーシングとモータを内蔵したモータハウジンクとが連結一体化されて成り、前記ポンプケーシングは端面中央に吸入口部を有するとともに周面には吐出口部を有し、前記モータケーシングは端面中央にモータロック解除部を有しており、前記モータロック解除部が前記外装体の開放面部に対向し、かつ、前記ポンプケーシング周面の吐出口部が前記開放面部と直交する周側板の一面に対向するように、前記キャンドポンプをポンプ取付台を介して前記外装体の底板上に載置固定し、前記ポンプ取付台は、外装体の底板上に載置される底面板部と、この底面板部一端から上方へ向けて折曲形成され、前記モータハウジングの先端部近くを下から支える立壁部と、底面板部の側縁から上方へ向けて折曲形成した立面板部と、この立面板部の一端から内方へ向けて折曲形成され、前記ポンプケーシング側を固定保持する取付板部とを有して構成され、かつ、それら底面板部、立壁部、立面板部及び取付板部が一体成形されてなるから、循環ポンプとしてキャンドポンプを使用したことにより、ポンプの運転騒音を軽減できのはもちろんのこと、キャンドポンプのモータロック解除部の操作を、着脱可能なパネルを外して外装体の開放面部を開放することで容易に行うことができ、取扱に優れている。
【００２２】
また、キャンドポンプは、吐出口部が上向きにならず、高さを低く抑えることができるため、外装体内における狭いスペースでも、吸入口部及び吐出口部への配管接続が、何ら支障のないように行える
【００２３】
請求項２に記載の温水ボイラにおいては、請求項１に記載の温水ボイラにおいて、前記外装体の底板には前記開放面部と略平行な固定用立片を有する固定板を装着し、この固定板の固定用立片に前記ポンプ取付台の立壁部を重合し、その重合した固定板の固定用立片とポンプ取付台の立壁部とを、前記外装体の開放面部側から締付ネジを介して締着する構成としたから、キャンドポンプの組み込み、取り外し作業を、着脱可能なパネルを外して外装体の開放面部を開放することで容易に行うことができ、キャンドポンプの着脱作業の簡便化が図れ、組立性及びサービス性を向上させることができる。
【図面の簡単な説明】
【図１】  本発明の一実施形態例を示す温水ボイラの一部切欠側面図である。
【図２】  同じく、前パネルとリザーブタンクを取り外した状態の温水ボイラの要部正面図である。
【図３】  同じく、キャンドポンプの取り付け状態の正面図である。
【図４】  同じく、キャンドポンプの取り付け状態の側面図である。
【図５】  同じく、キャンドポンプの取り付け状態の背面図である。
【図６】  同じく、ポンプ取付台単体と固定板単体の斜視図である。
【符号の説明】
１      外装体
２      底板
３      周側板
３Ａ    前パネル（パネル）
５      外装体の開放面部
７      缶体（熱交換器）
１２      キャンドポンプ
１２Ａ    ポンプケーシング
１２Ｂ    モータハウジング
１３      バーナ
１６      ポンプ取付台
１６Ａ 底面板部
１６Ｂ    立壁部
１６Ｃ 立面板部
１６Ｄ 取付板部
１７      固定板
１７Ｂ    固定用立片
１８ 吸入口部
１９      吐出口部
２０      モータロック解除部
２６      締付ネジ
【図１】
0003685602.tif 000002
【図２】
0003685602.tif 000003
【図３】
0003685602.tif 000004
【図４】
0003685602.tif 000005
【図５】
0003685602.tif 000006
【図６】
0003685602.tif 000007